(57)【特許請求の範囲】
【請求項１】
モジュール式ネクタイであって、
上部縁、上部縁の反対側の下部縁、前面、および前面の反対側の後面を有し、前記後面が溝を形成するノット筐体と、
前記ノット筐体の前記溝に挿入し、それによってインサートを前記ノット筐体に結合する前記インサートであって、前記インサートは第１の開口部を有する第１のポケットを含み、前記第１の開口部を介して装着者のシャツのボタンを前記第１のポケットに滑り込ませることができ、また、前記インサートは、前記第１のポケットの下に位置する第２のポケットで、前記第２のポケットは第２の開口部を含む、インサートと、
構造軸であって、前記第２の開口部を介して前記第２のポケットに挿入され、それによって前記構造軸を前記インサートに結合するように構成される構造軸と、
前記構造軸に固定されるタイ部分であって、前記インサートが前記ノット筐体に結合されている間に、前記構造軸が前記第２のポケットに挿入されると、前記ノット筐体から下向きに延在するようにしたタイ部分と、
を備えたことを特徴とするモジュール式ネクタイ。
【請求項２】
前記溝は前記上部縁から前記下部縁まで延びていることを特徴とする請求項１に記載のモジュール式ネクタイ。
【請求項３】
前記溝の内面は、１つ以上の第１の連結部材を含み、前記インサートの外面は、１つ以上の第２の連結部材を含み、前記１つ以上の第１連結部材は、前記インサートが前記溝に挿入されると前記１つ以上の第２連結部材と連結することを特徴とする請求項１に記載のモジュール式ネクタイ。
【請求項４】
前記１つ以上の第１の連結部材はくぼみであり、前記１つ以上の第２の連結部材は突起であることを特徴とする請求項３に記載のモジュール式ネクタイ。
【請求項５】
前記１つ以上の第１の連結部材は突起であり、前記１つ以上の第２の連結部材はくぼみであることを特徴とする請求項３に記載のモジュール式ネクタイ。
【請求項６】
前記１つ以上の第１の連結部材はくぼみであり、前記１つ以上の第２の連結部材はタブであることを特徴とする請求項３に記載のモジュール式ネクタイ。
【請求項７】
前記インサートの外面は、１つ以上の溝を含み、前記１つ以上のタブのそれぞれは、前記１つ以上の溝の１つの中に配置されることを特徴とする請求項６に記載のモジュール式ネクタイ。
【請求項８】
前記１つ以上のタブは、対応する前記溝内で内側に旋回することを特徴とする請求項７に記載のモジュール式ネクタイ。
【請求項９】
前記溝の内面は棚を形成し、前記インサートが前記溝に挿入されると、前記インサートの底面が前記棚に位置することを特徴とする請求項１に記載のモジュール式ネクタイ。
【請求項１０】
前記インサートが前記溝に挿入されると、前記インサートの上部後面が前記ノット筐体の周囲の面と揃うことを特徴とする請求項１に記載のモジュール式ネクタイ。
【請求項１１】
前記インサートは、当該インサートの上部後面を通して形成された切欠きを含み、前記切欠きは、ボタンが前記第１のポケット内に位置するときにボタンの糸を収容するために前記第１の開口部から延在することを特徴とする請求項１に記載のモジュール式ネクタイ。
【請求項１２】
前記インサートは、前記第２のポケットの上に位置する第３のポケットを含み、前記第３のポケットは磁石を保持するように構成されることを特徴とする請求項１に記載のモジュール式ネクタイ。
【請求項１３】
前記構造軸は、磁石を保持するように構成されたポケットを含む近位ヘッドを含むことを特徴とする請求項１２に記載のモジュール式ネクタイ。
【請求項１４】
前記第３のポケットは、前記第１のポケットと前記第２のポケットとの間に位置し、前記第１の開口部の反対側に向けられた第３の開口部を含むことを特徴とする請求項１２に記載のモジュール式ネクタイ。
【請求項１５】
前記ノット筐体は、前記インサートが前記溝に挿入されたときに前記インサートの底面の下に延在する底部を含むことを特徴とする請求項１に記載のモジュール式ネクタイ。
【請求項１６】
前記タイ部分および前記構造軸の周りに延在するように構成されたリング要素をさらに備えることを特徴とする請求項１に記載のモジュール式ネクタイ。
【請求項１７】
前記ノット筐体の１つ以上の外面に固定された１つ以上の装飾インレイをさらに備えることを特徴とする請求項１に記載のモジュール式ネクタイ。
【請求項１８】
モジュール式ネクタイであって、
ネクタイのノットに似るように構成された前面と、溝を形成する後面とを有するノット筐体と、
前記溝に挿入されてインサートを前記ノット筐体に連結するための前記インサートであって、前記インサートは、前記インサートの上面に向かうよう配置された第１のポケットと、前記インサートの底面に向かうよう配置された第２のポケットとを含み、前記第１のポケットは、それによって装着者のシャツのボタンが前記第１のポケットに挿入される後ろ向きの開口部を有し、前記第２のポケットは、下向きの開口部を有する、インサートと、
ネクタイ部分が結合された構造軸であって、前記構造軸は、前記下向きの開口部を介して前記第２のポケットに挿入され、それによって前記構造軸およびタイ部分を前記ノット筐体に固定する、構造軸と、
を備えたことを特徴とするモジュール式ネクタイ。
【発明の詳細な説明】
【技術分野】
【０００１】
本発明は、ネクタイおよびメンズウェアに関し、より詳しくは、取り外し可能な組合せネクタイに関する。
【背景技術】
【０００２】
ネクタイは、当技術分野で周知であり、一般的なビジネス用服装の必需品となっている。従来のネクタイは、ウィンザーノット、クリステンセンノット、メロビンギアンノット、スモールノットなどを含む、当業者に知られているノットを用い、一般に首で結ばれた細長い布地を含むものである。ボウタイを含む他のタイプのネクタイも当技術分野で増えている。
【０００３】
ネクタイは何世紀にもわたってゆっくりと進化し、本発明の提供により進化し続ける。ローマの兵士たちは制服の一部としてスカーフやネックウェアで身を飾り、その後メンズウェアにおけるネクタイの概念はヨーロッパでゆっくりと成長して来た。３０年戦争やスティーンケルクの戦いなど、中世の戦いでは、将校は一般にクラバットを首に巻き付け、生地のクラバットの端を一緒にねじり、ねじれた部分をボタンホールに通した。これらのクラバットは、戦場で止血帯として使用されることがあった。
【０００４】
産業革命に伴い、クラバットは革のカラーに変わり、最終的に一連のノットとネクタイスタイルを配置したより伝統的なネクタイに取って代わられた。ただし、これらの従来のネクタイは完全に効率的ではない。従来のネクタイにはまだカラーバンドが含まれており、これは特に暑さにおいて不快であり、結ぶのが難しく、時間がかかる。カラーバンドは役に立たず、カラーの下で見えることもない。従来のネクタイを交換することは困難な場合があり、これらの非効率性は、暑いまたはカジュアルなビジネス環境の一部の職業人によってネクタイを完全に放棄することになった。
【０００５】
これらの非効率性を改善するために当技術分野で行われた以前の試みには、ネクタイのネックバンドを排して、ウィンザーノットをまねた、カラー取り付けの代替手段を提供する「クリップオン」ネクタイの進化がある。クリップオンネクタイは、留め具を見えるようにすることが多く、ネクタイの細長い布部分の交換ができず、カスタマイズ可能なノットとすることができず、従来技術で知られているものを超えるようなノットをまねたものとはならない。技術として、着用する人のスタイルの好みや製造技術は進化し続けており、ネクタイも進化している。
【発明の概要】
【発明が解決しようとする課題】
【０００６】
現在の人に、改善された製造および設計技術を利用した、さまざまなスタイルおよび美的好みを満たすように適合可能な、モジュール化され、迅速に交換可能な部品を備えたより効率的なネクタイを提供することが望ましい。
【課題を解決するための手段】
【０００７】
本発明は、モジュール式ネクタイであって、傾斜した後面を有する模擬ノットで、傾斜した後面が磁気要素を受け入れるための凹部を画定し、模擬ノットが構造軸を受け入れるための非円筒形取り付け溝を画定し、模擬ノットがシャツのカラーとカラーバンドのいずれかに固定できる、模擬ノットと、遠位端で細長いネクタイおよび近位端をノット筐体に固定するよう構成された構造軸であって、取り付け溝に係合するよう適合した非円筒形近位端と、取付け手段を備える近位ヘッドと、中間部と、布タイに固定するように適合された端末留め具と、を備えるモジュール式ネクタイを提供する。
【０００８】
構造軸は、複数の球状フランジをさらに備えてもよい。構造軸の近位ヘッドは、ノット筐体内の協働する磁気要素と磁気双極子結合を形成するための磁気要素をさらに備えてもよい。
【０００９】
ノット筐体は、いくつかの実施形態では、構造軸内の協働する磁気要素と磁気双極子結合を形成するための磁気要素をさらに備えてもよい。  ノット筐体の外面はファセット加工されていてもよい。ノット筐体は、円筒形の取り付け凹部を画定してもよい。円筒形取り付け凹部の床は、磁気取り付け凹部を画定してもよい。  モジュール式ネクタイは、構造軸に取り付けられたタイを形成する布地の細長いストリップをさらに備えてもよい。
【００１０】
いくつかの実施形態では、モジュール式ネクタイは、内部電源、マイクロホン、およびマイクロホンを介して受信した音声データを無線で送信する送信機をさらに備えてもよく、モジュール式ネクタイは、マイクロホンを介して話された音声データを受信し、話された音声を受信機に送信するように適合されている。モジュール式ネクタイは、Ｂｌｕｅｔｏｏｔｈ（登録商標）プロトコルを使用してデジタル音声情報を無線で中継するように適合させることができる。
【００１１】
モジュール式ネクタイは、傾斜した後面を有する模擬ノットであって、取り付け手段を使用してシャツカラーおよびカラーバンドの一方に取り付け可能であり、取り付け手段を使用して構造軸およびタイの一つに取り外し可能に取り付け可能な模擬ノットと、内部電源と、  マイクロホンと、マイクロホンを介して受信した音声データを無線で送信する送信機と、を備える。
【００１２】
第２のモジュール式ネクタイが提供され、これは、後退した後面を有する模擬ノットであって、構造軸を受け入れるための非円筒形取り付け溝を画定し、シャツカラーおよびカラーバンドの一方に固定可能である模擬ノットと、遠位端で細長いネクタイと近位端をノット筐体に固定するように適合されており、取付け溝と係合するよう適合され取り付け手段を備えた非円筒形近位ヘッドと、中間部と、  布タイに取り付けるための取り付け手段を備えた構造軸と、を備える。
【００１３】
モジュール式ネクタイは、内部電源と、マイクロホンと、  マイクロホンを介して受信した音声データを無線で送信する送信機と、をさらに備えてもよく、モジュール式ネクタイは、マイクロホンを介して話された音声データを受信し、その音声を受信機に送信するように適合されている。  モジュール式ネクタイは、Ｂｌｕｅｔｏｏｔｈ（登録商標）プロトコルを使用してデジタル音声情報を無線で中継するように適合させることができる。
【００１４】
本発明のこれらの特徴および利点は、以下の説明および添付の特許請求の範囲からより完全に明らかになるか、または以下に記載する本発明の実施によって知ることができる。
【図面の簡単な説明】
【００１５】
本発明の利点を容易に理解するために、添付の図面に示される具体的な実施形態を参照することにより、上記で簡潔に説明した本発明のより具体的な説明を行う。これらの図面は本発明の典型的な実施形態のみを示し、したがってその範囲を限定するものと見なされるべきではないことを理解し、添付の図面を使用することにより、追加の特異性や詳細で本発明が記載され、説明される。
【図１Ａ】図１Ａは、本発明によるモジュール式ネクタイの交換可能なノット筐体の前方斜視図である。
【図１Ｂ】図１Ｂは、本発明によるモジュール式ネクタイの交換可能なノット筐体の上方かつ後方斜視図である。
【図２】図２は、本発明によるモジュール式ネクタイの取り外し可能な構造軸の前方斜視図である。
【図３】図３は、本発明によるモジュール式ネクタイの前方斜視図である。
【図４Ａ】図４Ａは、本発明によるモジュール式ネクタイの取り外し可能な構造軸の上方かつ前方斜視図である。
【図４Ｂ】図４Ｂは、本発明によるモジュール式ネクタイの取り外し可能な構造軸の下方および前方斜視図である。
【図５】図５は、本発明による、モジュール式ネクタイの分解された取り外し可能な構造軸およびネクタイの前方斜視図である。
【図６】図６は、本発明による分解されたモジュール式ネクタイの前方斜視図である。
【図７】図７は、本発明による分解されたモジュール式ネクタイの前方斜視図である。
【図８Ａ】図８Ａは、本発明によるモジュール式ネクタイの交換可能なノット筐体の側面斜視図である。
【図８Ｂ】図８Ｂは、本発明によるモジュール式ネクタイの交換可能なノット筐体の上部かつ前方斜視図である。
【図８Ｃ】図８Ｃは、本発明によるモジュール式ネクタイの交換可能なノット筐体の前方斜視図である。
【図８Ｄ】図８Ｄは、本発明によるモジュール式ネクタイの交換可能なノット筐体の上部斜視図である。
【図８Ｅ】図８Ｅは、本発明による、モジュール式ネクタイの交換可能なノット筐体の上部かつ後方斜視図である。
【図９】図９は、本発明による３つの組み立てられたモジュール式ネクタイのコレクションの前方斜視図である。
【図１０】図１０は、本発明によるモジュール式ネクタイの周囲の斜視図である。
【図１１Ａ】図１１Ａは、本発明によるモジュール式ネクタイの交換可能なノット筐体の前方斜視図である。
【図１１Ｂ】図１１Ｂは、本発明による、モジュール式ネクタイの交換可能なノット筐体の上部斜視図である。
【図１２Ａ】図１２Ａは、本発明による、モジュール式ネクタイの交換可能なノット筐体の前方斜視図である。
【図１２Ｂ】図１２Ｂは、本発明によるモジュール式ネクタイの交換可能なノット筐体の上部斜視図である。
【図１３Ａ】図１３Ａは、本発明による、モジュール式ネクタイの交換可能なノット筐体の上部かつ前方斜視図である。
【図１３Ｂ】図１３Ｂは、本発明によるモジュール式ネクタイの交換可能なノット筐体の側面斜視図である。
【図１３Ｃ】図１３Ｃは、本発明によるモジュール式ネクタイの交換可能なノット筐体の側面かつ後方斜視図である。
【図１４】図１４は、本発明による、モジュール式ネクタイの交換可能なノット筐体の分解斜視図である。
【図１５】図１５は、本発明によるモジュール式ネクタイのノット筐体の内部電気部品を示すブロック図である。
【図１６Ａ】図１６Ａは、カラーバンドを使用するモジュール式ネクタイの実施形態を示す。
【図１６Ｂ】図１６Ｂは、カラーバンドを使用するモジュール式ネクタイの実施形態を示す。
【図１６Ｃ】図１６Ｃは、カラーバンドを使用するモジュール式ネクタイの実施形態を示す。
【図１６Ｄ】図１６Ｄは、カラーバンドを使用するモジュール式ネクタイの実施形態を示す。
【図１６Ｅ】図１６Ｅは、カラーバンドを使用するモジュール式ネクタイの実施形態を示す。
【図１７Ａ】図１７Ａは、ラチェットシ軸を採用するモジュール式ネクタイの実施形態を示す。
【図１７Ｂ】図１７Ｂは、ラチェットシ軸を採用するモジュール式ネクタイの実施形態を示す。
【図１８Ａ】図１８Ａは、別のカラーバンドを使用するモジュール式ネクタイの実施形態を示す。
【図１８Ｂ】図１８Ｂは、別のカラーバンドを使用するモジュール式ネクタイの実施形態を示す。
【図１８Ｃ】図１８Ｃは、別のカラーバンドを使用するモジュール式ネクタイの実施形態を示す。
【図１９】図１９は、本発明の実施形態に従って構成されたモジュール式ネクタイの組み立て後部斜視図を示す。
【図１９Ａ】図１９Ａは、図１９のモジュール式ネクタイの分解かつ後部斜視図を示す。
【図１９Ｂ】図１９Ｂは、図１９のモジュール式ネクタイのノット筐体の断面かつ側面図を示す。
【図１９Ｃ】図１９Ｃは、図１９のモジュール式ネクタイのインサートの断面かつ側面図を示す。
【図１９Ｄ】図１９Ｄは、図１９のモジュール式ネクタイの組み立てられた断面かつ側面図を示す。
【図２０】図１９のモジュール式ネクタイの変形例に係る分解かつ後部斜視図を示す。
【図２０Ａ】図２０Ａは、図２０のモジュール式ネクタイのインサートの側面図を示す。
【図２０Ｂ】図２０Ｂは、図２０のモジュール式ネクタイのインサートの正面図を示す。
【図２１】図２１は、リング要素を含むモジュール式ネクタイの実施形態を示す図である。
【図２２】図２２は、ノット筐体が装飾インレイを含むモジュール式ネクタイの実施形態を示す。
【発明を実施するための形態】
【００１６】
本明細書を通して「一実施形態」、「実施形態」、または同様の用語への言及は、実施形態に関連して説明される特定の特徴、構造、または特性が本発明の少なくとも一実施形態に含まれることを意味する。したがって、「一実施形態では」、「実施形態では」というフレーズ、および本明細書全体にわたる類似の文言の出現は、必ずしもそうではないが、すべて同じ実施形態を指している。
【００１７】
さらに、説明された本発明の特徴、構造、または特性は、１つまたは複数の実施形態において任意の適切な方法で組み合わせることができる。以下の説明では、本発明の実施形態の完全な理解を提供するため、多数の具体的な詳細が提供される。しかしながら、当業者は、本発明が１つ以上の具体的な詳細なしで、または他の方法、構成要素、材料などを用いて実施され得ることを認識することができる。他の例では、本発明の態様を不明瞭にすることを避けるために、よく知られている構造、材料、または動作は詳細に示されていない。
【００１８】
図１Ａは、本発明によるモジュール式ネクタイの交換可能なノット筐体１００の前方斜視図である。  ノット筐体１００ないしノット容器は、上部縁１１０、下部縁１１１、上部縁１１０と下部縁１１１との間に延在する凸状前面１０２、上後面１２２ａ、下後面１２２ｂ、および前面１２２ａを後面１２２ａ、１２２ｂに接続する対向する側面１１２、１１３を含む。前面１０２は、ウィンザー、ハーフウィンザー、アトランティックノット、ニッキーノット、スモールノット、メロヴィングノットなどを含む、当業者に一般的に知られているノットをまねるように形成されてもよい。図に示されるものを含む他の実施形態では、ノット筐体１００は、一般的なネクタイノットを完全にまねるものではないが、先細りの審美的に美しいスタイルでカット面付けされている。ノット筐体１００は、ほぼ下方に向かって先細りである他の形状をなしてもよい。
【００１９】
ノット筐体１００は、チタン、アルミニウム、金属合金、ナイロン、皮革、織物シルクなどを含む、当業者に知られている任意のポリマー、金属、布または有機材料で形成されてもよい。ノット筐体１００は、装飾的な外部表面または色を含むことができる。
【００２０】
図１Ｂは、ノット筐体１００を上部かつ後方から見た斜視図である。同図に示されるように、上部後面１２２ａは、底部後面１２２ｂに対して角度が付けられ、装着者の首と胴体との間の相対角度に対応している。上部後面１２２ａは、装着者のシャツの上部ボタンを受け入れるように機能する取り付け凹部１０４を含む。取り付け凹部１０４の内面は、第１の磁気要素を受け入れるための磁気要素凹部１０６を画定する。他の実施形態では、磁気要素凹部１０６は、フックおよびループ留め具、摩擦嵌め留め具などの別の適切な取り付け構造に置き換えることができる。
【００２１】
磁気要素を使用する実施形態では、第１の磁石要素は、腐食の防止に役立ち、および／または磁石材料の強化に役立つようにめっきされてもよい。一実施形態では、ネオジム磁石はニッケルまたはプラスチックでコーティングされるが、コーティングの他の選択肢には、例えば、亜鉛、スズ、銅、エポキシ、銀、および金が含まれる。
【００２２】
協働する第２の磁気要素は、第１の磁気要素とは反対の極性を有する別の磁石を含むことができるカラーバンド上に配置されまたは位置決めされる。第２の磁気要素は、第１の磁気要素に磁気的に引き付けられる金属物品を含むことができる。  第１および第２の磁気要素は、同じサイズおよび形状を有してもよい。本実施形態では、第１の磁気要素はディスク形状である。当業者は、様々なサイズおよび／または形状を第１および第２の磁気要素に使用することができ、２つの磁気要素のサイズおよび／または形状が同一である必要がないことを認識することができる。
【００２３】
取り付け溝１０８ないしソケットは、ノット筐体１００内で垂直に延び、下部縁１１１に開口部を形成する。図に示されるように、取り付け溝１０８は、底部後面１２２ｂに沿って垂直に延在する後方開口部を形成してもよい。いくつかの実施形態において、取り付け溝１０８は、構造軸２００（図２を参照）の軸回転を防止し、取り付け溝１０８内のノット筐体１００に固定されるように円筒形ではない。以下に説明するように、構造軸を固定するための磁石または他のタイプの留め具を含む。
【００２４】
図２は、本発明によるモジュール式ネクタイの取り外し可能な構造軸２００の前方斜視図である。構造軸２００は、近位ヘッド２０２と、２つの球状フランジ２０８ａ−ｂを有する中間部２０４と、中間部２０４の遠位端にある末端留め具２０６とを含む。
【００２５】
図３は、本発明によるモジュール式ネクタイ３００の前方斜視図である。図に示されるように、構造軸２００は、取り付け溝１０８に取り外し可能に挿入され、それによって構造軸２００をノット筐体１００に固定することができる。布製タイは、構造軸２００の周囲および／または構造軸２００の末端に固定することができる。
【００２６】
図４Ａは、１つ以上の実施形態による構造軸２００の上部かつ前方斜視図である。構造軸２００の近位ヘッド２０２は、ノット筐体１００内での構造軸２００の軸回転を防止するために非円筒状である。近位ヘッド２０２は、上方に先細りになり、磁気要素を受け入れるための中空円筒凹部４０２を画定する平面上面を備えることができる。磁力を使用して、取り付け溝１０８の上面に含まれる対応する磁石（例えば、図８Ｄに示される磁石８０２）と係合する。
【００２７】
構造軸２００は、円筒形中間部２０４と、中間部２０４の遠位端にある端末留め具２０６とを備えており、構造軸２００を細長い布地材料の結合部分に取り付けることができる。中間部２０４は、タイ部分との係合をさらに容易にするために、図示のように複数の球状フランジ２０８ａ−ｂを備えてもよい。図４Ｂは、図４Ａに示される構造軸２００の下方かつ前方斜視図である。末端留め具２０６は、図示のように平坦な底面を備えてもよい。
【００２８】
図５は、本発明による、モジュール式ネクタイ５００の分解された取外し可能な構造軸２００およびタイ部分５０２の前方斜視図である。タイ部分５０２は、構造軸２００に固定される。構造軸２００は、タイ部分５０２に挿入され、および／またはタイ部分５０２によって包まれるかまたは部分的に包まれる。タイ部分５０２は、縛り、ノット、接着剤、または留め具を含む、当業者に知られる任意の手段を使用して構造軸２００に固定されてもよい。
【００２９】
図６は、本発明による分解されたモジュール式ネクタイ６００の前方斜視図である。構造軸２００は、構造軸２００の近位ヘッド２０２がタイ部分５０２の上方に位置し上方に突出するように、タイ部分５０２に挿入される。  球状フランジ２０８ａ−ｂは、タイ部分５０２が近位ヘッド２０２に対して下方にスライドするのを防止する表面を形成することができる。近位ヘッド２０２が露出した状態で、近位ヘッド２０２を、磁気要素または他の留め具が結合してタイ部分５０２を固定するまで取り付け溝１０８に挿入することができる。取り付け溝１０８への近位ヘッド２０２の挿入および取り外しは、底部後面１２２ｂに沿って上方に延在する後方開口部を形成するように取り付け溝１０８を構成することにより容易になる。
【００３０】
図７は、本発明による分解されたモジュール式ネクタイ７００の前方斜視図である。ノット筐体１００、構造軸２００、およびタイ部分５０２は、図示のように一致した位置となる。
【００３１】
図８Ａ〜８Ｅは、交換可能なノット筐体１００の様々な代替実施形態の斜視図を示している。ノット筐体１００は、上記で参照した磁気要素８０２または他の締結具を備えてもよい。
【００３２】
図９は、本発明による、３つの組み立てられたモジュール式ネクタイ９００の集合体の前方斜視図である。構造軸２００は、組み立てられた各モジュール式ネクタイに前方から見えないように隠されている。図１０は、本発明によるモジュール式ネクタイ１０００の周囲斜視図である。ノット筐体１００は、ノット筐体１００から下方にぶら下がったネクタイ部分５０２を備えたシャツのカラー１００２に対して部分的に後ろに位置する。したがって、モジュール式ネクタイ１０００は、典型的なネクタイの一般的な外観を有することになる。
【００３３】
図１１Ａ〜１１Ｂは、本発明によるモジュール式ネクタイの交換可能なノット筐体１１００の斜視図を示す。ノット筐体１１００は、図示のように滑らかな外側表面仕上げ／スタイリングを備えてもよい。
【００３４】
図１２Ａ〜１２Ｂは、本発明によるモジュール式ネクタイの交換可能なノット筐体１２００の斜視図を示す。ノット筐体１２００は、装着者のカラーの中への突出を増すように、図示されるように横方向に上昇する翼を備えてもよい。
【００３５】
図１３Ａ〜１３Ｃは、斜視図を示し、図１４は、本発明によるモジュール式ネクタイの交換可能なノット筐体１３００の分解図を示す。ノット筐体１３００は、外側かつ後端に形成されたカラーバンド留め具１３０４をそれぞれ有する、２つの取り外し可能な横方向カラー翼１３０２ａおよび１３０２ｂを備える。  カラーバンド留め具１３０４を使用して、装着者の首を包むカラーバンドをノット筐体１３００に連結することができる。
【００３６】
横方向カラー翼１３０２ａおよび１３０２ｂは、図示のように、取り付け手段１３１０を使用してノット筐体１３００と係合する。取り付け手段１３１０は、ノット筐体１３００に含まれる、対応する磁石または摩擦嵌合留め具、スナップ嵌合留め具、ねじなどの別のタイプの留め具に結合する磁石であってもよい。
【００３７】
図１３Ｃに示すように、取り付け凹部１０４は長方形の形状を有し、ボタン取り付け部品１３２０を受け入れて固定するように構成される。ボタン取り付け部品１３２０は、装着者のシャツのボタン１３０６を選択的に受け入れるように構成される。使用中、ボタン取り付け部品１３２０をボタン１３０６に結合し、次いでノット筐体１３００をボタン取り付け部品１３２０に結合して、ノット筐体１３００を装着者の一番上のボタンに固定することができる。その構成により、ノット筐体１３００は、ボタン取り付け部品１３２０を使用して一番上のボタンまたはカラーバンド留め具１３０４の間に延びるカラーバンドのいずれかを使用して装着者のシャツに結合することができる。他の実施形態では、ノット筐体１３００は、取り付け部品１３２０またはカラーバンド留め具１３０４のみを含んでもよい。
【００３８】
図１５は、本発明によるモジュール式ネクタイのノット筐体１５００の内部電気部品を示すブロック図である。ノット筐体１５００は、プロセッサ１５０２、無線トランシーバ１５２０、マイクロホン１５１０、電源１５２２、送信機１５２４、および複数の音声ファイル１５２６ａ−ｃを含むメモリ１５２８を備えることができる。
【００３９】
様々な実施形態において、音声入力１５３０は、マイクロホン１５１０によって受信され、装着者によって話されたものである。この音声は、ブルートゥース（登録商標）など当業者に知られているプロトコルと手段を使用して、タブレットコンピューター、スマートフォン、サーバー、パーソナルコンピューター、アンプなどの遠隔のデータ処理デバイス（ＤＰＤ）に再送信できる。様々な実施形態において、遠隔ＤＰＤは、ローカルエリアネットワーク（ＬＡＮ）またはワイドエリアネットワーク（ＷＡＮ）を介してノット筐体１５００と無線接続している。  データ出力はデジタル音声１５３２で知らされる。
【００４０】
ノット筐体１５００は、デバイス間通信（メディアの無線伝送を意味する）を可能にする電気信号を中継するための手段を備えてもよい。ノット筐体１５００は、デバイス間の相互通信接続を可能にするＢｌｕｅｔｏｏｔｈ（登録商標）プロトコルおよび手順を利用するように構成されてもよい。この機能は、  Ｂｌｕｅｔｏｏｔｈ  Ｉｎｔｅｒｃｏｍ  Ｐｒｏｆｉｌｅ（登録商標）および／またはＢｌｕｅｔｏｏｔｈ  Ｔｅｌｅｐｈｏｎｙ  Ｐｒｏｆｉｌｅ（登録商標）、または当業者に知られている他の無線技術を組み込むことにより提供され得る。
【００４１】
この通信は、Ｂｌｕｅｔｏｏｔｈ（登録商標）プロファイルの１つ以上のサブセットのコア仕様に従うことができ、コア仕様は、コードレステレフォニープロファイル（ＣＴＰ）、デバイスＩＤプロファイル（ＤＩＰ）、ダイヤルアップネットワークプロファイル（ＤＵＮ）、ファイルトランスファプロファイル（ＦＴＰ）、ハンズフリープロファイル（ＨＦＰ）、ヒューマンインターフェイスデバイスプロファイル（ＨＩＤ）、ヘッドセットプロファイル（ＨＳＰ）、およびインターコムプロファイル（ＩＣＰ）  近接プロファイル（ＰＸＰ）の１つ以上を含む。
【００４２】
図１６Ａ〜１６Ｄは、ノット筐体１３００を使用するモジュール式ネクタイ１６００の別の実施形態を示す。この実施形態では、モジュール式ネクタイ１６００は、第１の磁気端１６０１ａおよび第２の磁気端１６０１ｂを有するカラーバンド１６０１を含む。カラーバンド１６０１の長さの少なくとも一部は、それら磁気端がカラーバンド留め具１３０４に通されてカラーバンド１６０１に折り返されたときに、磁気端１６０１ａおよび１６０１ｂがカラーバンド１６０１にしっかりと保持されるように、磁性材料で作られまたは磁性材料を組み込むことができる。  カラーバンド１６０１の長さに沿って磁性材料を組み込むことにより、カラーバンド１６０１の直径は、特定の装着者の首のサイズまたは好みに合うように調整することができる。
【００４３】
図１６Ｂは、モジュール式ネクタイ１６００の分解図を提供し、図１４の分解図に実質的に類似している。モジュール式ネクタイ１６００は、構造軸２００とは異なる構成の構造軸１６２０を採用している。構造軸１６２０は、布地軸２００と同様、近位ヘッド１６２１と末端留め具１６２２を含むが、球状フランジを含まない。代わりに、構造軸１６２０は、端子留め具１６２２が挿入され、固定されることにより、２つの部品を一緒に結合する、固定スリーブ１６２０ａを含む。固定スリーブ１６２０ａは、（例えば、タイ部分の近位端内に固定スリーブ１６２０ａを縫い付けるか、または接着することにより）つなぎ部分に連結され得、次いで、構造軸１６２０は、固定スリーブ１６２０ａを介して挿入され得る。
【００４４】
図示されるように、磁石１６２１ａを近位ヘッド１６２１に組み込むことができる。対応する磁石１０８を取り付け溝１０８の上面に組み込むことができ、それにより、構造軸１６２０が取り付け溝１０８内にしっかりと保持される。
【００４５】
図１６Ｃおよび１６Ｄは、横方向カラー翼１３０２ａおよび１３０２ｂが、ノット筐体１３００にどのように結合するかをよりよく示している。ノット筐体１３００の上部後面１２２ａは、取り付け凹部１０４の両側に凹部１６５５を含む。横方向カラー翼１３０２ａおよび１３０２ｂのそれぞれは、下部縁１６５１から下向きに突出する対応する突起１６５２を含む。庭縁１６５１は、突起１６５２が凹部１６５５に挿入されると、上部後面１２２ａと整列し、それに対して静止するように構成される。磁石１３１０ａ（または他のタイプの留め具）は、凹部１６５５に含まれて、突起１６５５に含まれる対応する磁石１３１０（または他のタイプの留め具）に結合する。
【００４６】
横方向カラー翼１３０２ａの各々は、突起１６５２を越えて下方に延び、ノット筐体１３００の対応する側面１１１または１１２と整列する外面１６５３も含む。溝１６５２ａは、外面１６５３と突起１６５２との間に形成される。側部カラー翼１３０２ａおよび１３０２ｂがノット筐体１３００に結合されると、上部後面１２２ａの部分は溝１６５２ａに挿入され、それによって結合を強化される。
【００４７】
図１６Ｅは、分離したボタン取り付け部品ト１３２０を示している。上述のように、ボタン取り付け部品１３２０は、ノット筐体１３００から分離可能であり、それによって、ボタン取り付け部品１３２０が装着者の一番上のボタンに固定されることが可能にとなる。ポケット１３０６ａは、ボタン取り付け部品１３２０内に形成されてもよく、ボタンをぴったりと受け入れるようなサイズおよび形状にされてもよい。ポケット１３０６ａは、ボタン取り付け部品１３２０の片側で開くことができる。ボタン取り付け部品１３２０をボタン上にスライドさせると、ボタンをシャツに結合する糸を切欠き１３０６ａ１内に配置できるように、切欠き１３０６ａ１をこの開口部の中央に形成することができる  。ボタン取り付け部品１３２０は、取り付け凹部１０４内に含まれる対応する磁石１３２２ａに固定する磁石１３２２を含むことができる。
【００４８】
図１７Ａおよび１７Ｂは、モジュール式ネクタイ１７００の別の実施形態を示す。モジュール式ネクタイ１７００は、カラーバンド１６０１が２つのラチェットストリップ１７０２に置き換えられることを除いて、モジュール式ネクタイ１６００と同じである。ラチェットストリップ１７０２は、任意の適切な配置でカラーバンド留め具１３０４によってノット筐体１３００に結合され得る。
【００４９】
ラチェットストリップ１７０２を装着者のシャツに固定するために、栓受け１７０１をシャツの両側のカラーの下に固定することができる。栓受け１７０１は、内側に面し、ステッチ、接着剤、または他の適切な機構を介してシャツに取り付けられるように構成された取り付け部１７０１ａを含むことができる。栓受け１７０１は、対応するラチェットストリップ１７０１が挿入されるラチェット構造１７０１ｂをも含む。ラチェットストリップ１７０２上のリッジ１７０２ａは、ラチェット構造１７０１ｂと適合して、リリースレバー１７０１ｂ１を外さずにラチェットストリップ１７０２が栓受け１７０１から引き出されるのを防ぐ。したがって、装着者は、栓受け１７０１を通してラチェットストリップ１７０１を適切な距離まで挿入して、ノット筐体１３００を所望の位置に配置および固定することができる。  栓受け１７０１は装着者のカラーの下に結合できるため、カラーが折り畳まれている間は見えない。
【００５０】
図１８Ａ〜１８Ｃは、モジュール式ネクタイ１８００の別の実施形態を示す。モジュール式ネクタイ１８００は、ノット筐体１８５０がわずかに異なる形状を有し、側面カラー翼１８０１ａおよび１８０１ｂと相互接続することを除いて、モジュールネクタイ１６００および１７００に類似する。別の方法。加えて、モジュール式ネクタイ１８００は、２つのストラップ１８０２ａおよび１８０２ｂで形成されたカラーバンドを含む。
【００５１】
図１８Ｂおよび１８Ｃに最もよく見られるように、ノット筐体１８５０は、各側の上端に凹部１８２０ｂを含む。凹部１８２０ｂは、磁石を収容するように構成されている（例えば、埋め込まれた凹部内に）。横方向カラー翼１８０１ａおよび１８０１ｂのそれぞれは、突起１８２０ａが凹部１８２０ｂに挿入できるように凹部１８２０ｂに対応する突起１８２０ａを含む。突出部１８２０ａは、対応する凹部１８２０ｂに収容された磁石と整列する磁石（例えば凹部内）を収容するように構成することもできる。したがって、突起１８２０ａが凹部１８２０ｂに挿入されると、横方向のカラー翼１８０１ａまたは１８０１ｂは、磁力によってノット筐体１８５０に結合される。一時的および半永久的な結合機構を含む、磁石の代わりの他のタイプの結合機構を使用することもできる。
【００５２】
ストラップ１８０２ａおよび１８０２ｂは、一方の端部で側部カラー翼１８０１ａおよび１８０１ｂにそれぞれ接続する。ストラップ１８０２ａおよび１８０２ｂの反対側の端部は、調節可能に相互接続するように構成され、それによって、カラーバンドの直径を調節可能にする。特に、ストラップ１８０２ａの端部は、バックル状構造１８０３および溝１８０４を形成する。ストラップ１８０２ｂの端部は、ループを形成するために所望の距離まで溝１８０４を通して挿入することができる。次いで、ストラップ１８０２ａおよび１８０２ｂは、バックル状構造１８０３に形成されたピン（不図示）をストラップ１８０２ｂの端部に沿って形成されたノッチ１８０５の１つに挿入することにより互いに固定され得る。バックル状構造１８０３上のピンは、ストラップ１８０２ｂの端部が溝１８０４を通って内側に挿入されるように外側に向けることができ、それにより、ストラップ１８０２ａおよび１８０２ｂの端部がカラーの下側で平らになる。
【００５３】
図１９〜１９Ｄは、本発明の実施形態に従って構成されるモジュール式ネクタイ１９００の別の実施形態の様々な図を提供する。モジュール式ネクタイ１９００は、ノット筐体１９１０、構造軸１９２０およびインサート１９３０を含む。インサート１９３０は、ノット筐体１９１０の溝１９１２に挿入されて保持され、構造軸１９２０はインサート１９３０のポケット１９３５内に挿入されて抑制される。
【００５４】
ノット筐体１９１０は、前述のノット筐体と同様の凸状前面１９１１を含む。溝１９１２は、ノット筐体１９１０の背面に形成され、インサート１９３０を受け入れるように構成される。溝１９１２の内面は、ノット筐体１９１０の底部の方に位置する棚１９１４を形成することができる。インサート１９３０が溝１９１２の中に置かれるとき、インサート１９３０の底面１９３２は棚１９１４上で静止し、インサート１９３０の上部後面１９３１が格納部１９１０の周囲面とがほぼ揃う。ノット筐体の底部１９１５は、棚１９１４を越えて下方に延びる。
【００５５】
溝１９１２内にインサート１９３０を固定するために、溝１９１２の内面に連結部材１９１３を形成することができ、インサート１９３０の外面１９３３に対応する連結部材１９３３ａを形成することができる。連結部材１９１３および１９３３ａは、インサート１９３０が棚１９１４に着座したときに連結するように構成され得る。図示された実施形態では、溝１９１２の両側に形成され得る連結部材１９１３は、丸みを帯びたくぼみとして構成され得、一方、インサート１９３０において対向する側にも形成され得る連結部材１９３３ａは、丸い窪みと同じ全体的な形状およびサイズを有する丸い突起として構成することができる。もちろん、連結部材１９１３および１９３３ａは、それぞれ突出部およびくぼみとして代替的に構成され得る。丸みを帯びた凹凸として連結部材を形成することにより、インサート１９３０が意図せずに溝１９１２から分離するのを防ぎながら、必要に応じてインサート１９３０を溝１９１２から分離しやすくすることができる。連結部材１９１３および１９３３ａは、好ましくは、金属製のモジュール式ネクタイ１９００の実施形態で使用され得る。
【００５６】
インサート１９３０は、上部後面１９３１の下に配置され、後向き開口部を形成するポケット１９３４を含む。切欠き１９３１ａは、上部後面１９３１に形成することができ、上部後面１９３１の後縁から上方／前方に延びる。切欠き１９３１ａは、上部ボタンがポケット１９３４に滑り込むときに装着者のシャツの一番上のボタンの糸を収容し、これにより、モジュール式ネクタイ１９００を装着者のシャツに結合することができる。
【００５７】
インサート１９３０は、また、インサート１９３０の底部に位置しかつ底部に向かって開くポケット１９３５をも含む。ポケット１９３５は、構造軸１９２０の近位ヘッド１９２２を受け入れるように構成される。近位ヘッド１９２２の上面１９２３は、後方に傾斜し、ポケット１９３５の上面の角度に合わせたものとなる。インサート１９３０は、ポケット１９３４と１９３５との間に配置され、インサート１９３０の前面に向かって開くポケット１９３６をも含むことができる。ポケット１９３５内に構造軸１９２０を固定するために、磁石（不図示）がポケット１９３６内に配置されて、近位ヘッド１９２２に形成されたポケット１９２３ａ内に含まれる対応する磁石（不図示）を引き付けることができる。ポケット１９３５と１９３６の間の薄壁は、十分な磁力を確保して構造軸１９２０を意図せずポケット１９３５から分離することを防止することができる。
【００５８】
構造軸１９２０の凹部１９２４は、近位ヘッド１９２２と終端留め具１９２１との間に形成される。タイ部分（例えば、タイ部分５０２）は、凹部１９２４の位置で構造軸１９２０の周りに巻き付けられ、固定され得る（図６に示されているものと同様）。図１９Ｄに最もよく見られるように、ノット筐体１９１０、構造軸１９２０、およびインサート１９３０の相対寸法により、凹部１９２４がポケット１９３５内に配置されて、ノット筐体１９１０の底部１９１５が近位ヘッド１９２２およびタイ部分への移行部を隠すことができる。端子留め具１９２１の幅が広くて丸い形状は、構造軸１９２０からぶら下がっているタイ部分の所望の形状を維持するのに役立つ。
【００５９】
図２０〜２０Ｂは、モジュール式ネクタイ１９００の変形例を示す。この変形では、連結部材１９１３および１９３３ａは、連結部材２００１および２００２に置き換えられる。連結部材２００１は、角度のある窪みとして構成され、一方、連結部材２００２は、旋回するタブとして構成される。図２０Ｂに最もよく見られるように、溝２００３は、外面１９３３の両側に形成され、連結部材２００２は、溝２００３内であるが溝２００３の内面から間隔を空けて配置され、これにより、連結部材２００２が内側に旋回できるようにしている。また、図２０Ｂに最もよく見られるように、連結部材２００２は、外面１９３３を越えて外向きに延びるように構成されて、それらが連結部材２００１に挿入されるようにすることができる。したがって、連結部材２００２を内側に向けて旋回させるのに十分な力が存在しない場合は、インサート１９３０は溝１９１２内に保持される。連結部材２００１および２００２は、好ましくは、プラスチックで作られたモジュール式ネクタイ１９００の実施形態で使用することができる。
【００６０】
図２１は、ノット筐体１９１０、構造軸１９２０、タイ部分５０２、および構造軸１９２０上のタイ部分５０２の周りに配置されるように構成されるリング要素２１０１を含み、リング要素２１０１がノット筐体１９１０の下に位置する、モジュール式ネクタイ２１００を示している。リング要素２１０１は、モジュール式ネクタイ２１００または本明細書で説明する他の任意のモジュール式ネクタイに追加の装飾を追加することができる。
【００６１】
図２２は、ノット筐体（ノット筐体１９１０など）が、いくつかの装飾インレイ２２００を含むようにどのように構成され得るかを示している。例えば、ノット筐体１９１０の様々な表面は、装飾インレイ２２００を受容するように凹んでいてもよい。インレイ２２００は、凹部内に恒久的に固定されるか、（例えば、磁石、フックとループの留め具または他の適切なタイプの留め具または接着剤を使用することにより）選択的に交換可能であってもよい。装飾インレイ２２００は、木材、金属、複合材、または望ましい外観を有する他の材料を含む多くの異なる材料で作ることができる。
【００６２】
本発明は、その精神または本質的な特徴から逸脱することなく、他の特定の形態で実施することができる。上述された実施形態は、すべての点で例示的であり、限定的ではないと見なされるべきである。したがって、本発明の範囲は、上述の説明ではなく、添付の特許請求の範囲によって示される。特許請求の範囲と同等の意味および範囲内にあるすべての変更は、その範囲内に含まれるものとする。
【図１Ａ】
0006856782.tif 000002
【図１Ｂ】
0006856782.tif 000003
【図２】
0006856782.tif 000004
【図３】
0006856782.tif 000005
【図４Ａ】
0006856782.tif 000006
【図４Ｂ】
0006856782.tif 000007
【図５】
0006856782.tif 000008
【図６】
0006856782.tif 000009
【図７】
0006856782.tif 000010
【図８Ａ】
0006856782.tif 000011
【図８Ｂ】
0006856782.tif 000012
【図８Ｃ】
0006856782.tif 000013
【図８Ｄ】
0006856782.tif 000014
【図８Ｅ】
0006856782.tif 000015
【図９】
0006856782.tif 000016
【図１０】
0006856782.tif 000017
【図１１Ａ】
0006856782.tif 000018
【図１１Ｂ】
0006856782.tif 000019
【図１２Ａ】
0006856782.tif 000020
【図１２Ｂ】
0006856782.tif 000021
【図１３Ａ】
0006856782.tif 000022
【図１３Ｂ】
0006856782.tif 000023
【図１３Ｃ】
0006856782.tif 000024
【図１４】
0006856782.tif 000025
【図１５】
0006856782.tif 000026
【図１６Ａ】
0006856782.tif 000027
【図１６Ｂ】
0006856782.tif 000028
【図１６Ｃ】
0006856782.tif 000029
【図１６Ｄ】
0006856782.tif 000030
【図１６Ｅ】
0006856782.tif 000031
【図１７Ａ】
0006856782.tif 000032
【図１７Ｂ】
0006856782.tif 000033
【図１８Ａ】
0006856782.tif 000034
【図１８Ｂ】
0006856782.tif 000035
【図１８Ｃ】
0006856782.tif 000036
【図１９】
0006856782.tif 000037
【図１９Ａ】
0006856782.tif 000038
【図１９Ｂ】
0006856782.tif 000039
【図１９Ｃ】
0006856782.tif 000040
【図１９Ｄ】
0006856782.tif 000041
【図２０】
0006856782.tif 000042
【図２０Ａ】
0006856782.tif 000043
【図２０Ｂ】
0006856782.tif 000044
【図２１】
0006856782.tif 000045
【図２２】
0006856782.tif 000046